(57)【要約】【課題】外観意匠性を損なうことなく且つ吸引性能低下及び騒音増大を抑制することが可能な充電式の縦型電気掃除機を提供する。【解決手段】本発明の縦型の電気掃除機１は、電池９と電動送風機８とが収納された本体ケース３と、本体ケース３から下方に向かって延在し電動送風機８による吸引力が作用する通風路を形成する接続管５と、床用吸込具７と、接続管５の途中に介在して塵埃を捕集する集塵器４と、を有する掃除機本体２と、掃除機本体２の給電部１２が電気的に接続されることにより電池９を充電する充電台２０と、を備えている。集塵器４は、接続管５に円柱側面が隣接した状態で本体ケース３の下面部に取り付けられている。接続管５の集塵器４に対向する面は円弧面に構成され、給電部１２を構成するリード線１５は、集塵器４の円柱側面と接続管５の円弧面とにより挟まれて形成された隙間に沿って配置される。【選択図】図６
2016015992.tif 000002
【特許請求の範囲】
【請求項１】
電池と前記電池により駆動される電動送風機とが収納された本体ケースと、前記本体ケースから下方に向かって延在し前記電動送風機による吸引力が作用する通風路の一部を形成する通風管と、前記通風管の下端に設けられた床用吸込具と、前記通風路の途中に介在して塵埃を捕集する集塵器と、を有する掃除機本体と、前記掃除機本体の給電部が電気的に接続されることにより前記電池を充電する充電台と、を備えた縦型電気掃除機において、
前記集塵器は、前記通風管に側面が隣接した状態で前記本体ケースの下面部に取り付けられ、
前記通風管の前記集塵器に対向する面は円弧面に構成され、
前記給電部の一部は、前記集塵器の側面と前記通風管の円弧面とにより挟まれて形成された隙間に沿って配置されて成る縦型電気掃除機。
【請求項２】
前記給電部は、前記掃除機本体を前記充電台に載置した際に当該充電台と電気的に接触される受電側通電端子と、
前記受電側通電端子から前記本体ケースの内部へ電力を供給する導電部材と、を含み、
前記導電部材が前記隙間に沿って配置されて成る請求項１に記載の縦型電気掃除機。
【請求項３】
前記受電側通電端子は、前記集塵器の下部に配置されて成る請求項２に記載の縦型電気掃除機。
【請求項４】
前記給電部を覆うカバーを前記隙間に配置して成る請求項２又は請求項３に記載の縦型電気掃除機。
【請求項５】
前記カバーは、前記通風管の円弧面の接線方向に向かって前記集塵器の側面まで延在して構成される請求項４に記載の縦型電気掃除機。
【請求項６】
前記カバーは、前記受電側通電端子の周囲を覆うように形成されて成る請求項４又は請求項５に記載の縦型電気掃除機。
【請求項７】
前記導電部材は、絶縁体で被覆された複数本のリード線により構成され、
前記複数本のリード線を共通の前記隙間に配置して成る請求項２から請求項６の何れか１項に記載の縦型電気掃除機。
【請求項８】
前記隙間は、前記通風管の円弧面を挟んで隔絶された前記集塵器の２側面の各領域にそれぞれ形成され、
前記導電部材は複数の導電部材で構成され、前記隙間のそれぞれに前記複数の導電部材が分かれて配置されて成る請求項２から請求項６の何れか１項に記載の縦型電気掃除機。
【請求項９】
前記複数の導電部材は、絶縁体で被覆されていない２枚の導電板により構成されてなる請求項８に記載の縦型電気掃除機。
【発明の詳細な説明】
【技術分野】
【０００１】
この発明は、縦型電気掃除機に係り、特に充電台を備えた充電式の縦型電気掃除機に関する。
【背景技術】
【０００２】
従来、例えば特許文献１には、回転ブラシを有する吸込口体への給電を行う電気掃除機の給電構造に関する技術が開示されている。この技術では、より詳しくは、吸込口体に接続された延長管の外周面に内周側へ向かって窪んだ収納溝を形成し、この収納溝にコードを収納保持する構造としている。
【先行技術文献】
【特許文献】
【０００３】
【特許文献１】特開昭６２−２５４７２３号公報
【発明の概要】
【発明が解決しようとする課題】
【０００４】
ところで、充電台を備えた充電式の縦型電気掃除機では、充電台に設けられた送電側通電端子と掃除機本体に設けられた給電部の受電側通電端子とが接触することにより、充電台から掃除機本体への給電が行われる。ここで、通風路を構成する通風管の外周面に給電部が配置される場合には、意匠性を損なうことなく且つ清掃時において給電部が家具等の障害物に接触しない構成が望ましい。このような構成としては、例えば通風管に上記従来の技術のような収納溝を設け、給電部を当該収納溝に配置することが考えられる。
【０００５】
しかしながら、電気掃除機の通風路は塵埃の引っかかりを防止するために断面が円形状であることが望ましい。このため、上記従来の技術では収納溝により通風路が狭められてしまい、塵埃の引っかかりによる吸引性能の低下および騒音の増大が問題となるおそれがある。
【０００６】
この発明は、上述の課題を解決するためになされたもので、外観意匠性を損なうことなく且つ吸引性能低下及び騒音増大を抑制することが可能な充電式の縦型電気掃除機を提供することを目的とする。
【課題を解決するための手段】
【０００７】
この発明に係る縦型電気掃除機は、電池と電池により駆動される電動送風機とが収納された本体ケースと、本体ケースから下方に向かって延在し電動送風機による吸引力が作用する通風路の一部を形成する通風管と、通風管の下端に設けられた床用吸込具と、通風路の途中に介在して塵埃を捕集する集塵器と、を有する掃除機本体と、掃除機本体の給電部が電気的に接続されることにより電池を充電する充電台と、を備えた縦型電気掃除機において、集塵器は、通風管に側面が隣接した状態で本体ケースの下面部に取り付けられ、通風管の集塵器に対向する面は円弧面に構成され、給電部の一部は、集塵器の側面と通風管の円弧面とにより挟まれて形成された隙間に沿って配置されて成るものである。
【発明の効果】
【０００８】
この発明によれば、集塵器の側面と通風管の円弧面とによって挟まれて形成される隙間に給電部が配置されるので、外観意匠性を損なうことなく且つ吸引性能低下及び騒音増大を抑制することができる。
【図面の簡単な説明】
【０００９】
【図１】この発明の実施の形態１における電気掃除機の全体構成を示す図である。
【図２】この発明の実施の形態１における掃除機本体の斜視図である。
【図３】この発明の実施の形態１における掃除機本体の正面図である。
【図４】図３に示す掃除機本体をＡ−Ａ断面で切断した断面図である。
【図５】この発明の実施の形態１における充電台の斜視図である。
【図６】この発明の実施の形態１における本体ケース周辺の斜視図である。
【図７】給電部の構成を拡大して示す斜視図である。
【図８】図３に示す掃除機本体をＢ−Ｂ断面で切断した断面図である。
【図９】この発明の実施の形態２における電気掃除機の給電部の構成を拡大して示す斜視図である。
【図１０】この発明の実施の形態２における電気掃除機を図３に示すＢ−Ｂ断面で切断した断面図である。
【発明を実施するための形態】
【００１０】
以下、図面を参照してこの発明を実施するための形態について説明する。なお、各図中において、同一又は相当する部分には同一の符号を付して、重複する説明は適宜に簡略化ないし省略する。
【００１１】
実施の形態１．
図１は、この発明の実施の形態１における電気掃除機の全体構成を示す図である。この図に示すように、実施の形態１の電気掃除機１は、掃除機本体２と充電台２０とを備えている。掃除機本体２は、内部に充電池を備えるコードレスタイプの縦型電気掃除機である。充電台２０は、掃除機本体２を直立した状態で載置可能に構成されている。充電台２０は図示しない電源ケーブルによって外部電源に接続されており、掃除機本体２が充電台２０に載置されることにより両者が電気的に接続されて電池が充電される仕組みになっている。
【００１２】
次に、掃除機本体２の構成について図２から図４を参照して更に詳しく説明する。図２は、この発明の実施の形態１における掃除機本体の斜視図である。また、図３は、この発明の実施の形態１における掃除機本体の正面図である。さらに、図４は、図３に示す掃除機本体をＡ−Ａ断面で切断した断面図である。これらの図に示すように、掃除機本体２は、本体ケース３と、集塵器４と、接続管５と、延長管６と、床用吸込具７と、を備えている。本体ケース３は、円筒形状に形成されており、その内部には吸引力を発生させる電動送風機８と、当該電動送風機８を駆動するための電力を供給する電池９が収納されている。また、本体ケース３の側面部には、使用者が清掃時に把持するための取っ手１０が形成されている。
【００１３】
集塵器４は、電動送風機による吸引力が作用する通風路に介在して塵埃を捕集するための装置であり、本体ケース３の下部に着脱自在に取り付けられている。集塵器４は、当該本体ケース３と同径の円柱形状に構成され、その内部に図示しない旋回室を備えたサイクロン式の集塵器として構成されている。なお、集塵器４はサイクロン式に限らず、その内部に紙パック等を装着する紙パック式のものでもよい。
【００１４】
集塵器４の旋回室は通風路の一部を構成する接続管５に連通している。接続管５は、本体ケース３の下面部から下方に向かって突出して構成された通風管であり、その内部に通風路が形成されている。接続管５における集塵器４と対向する側面は円弧面に構成されており、集塵器４の円柱側面が接続管５の円弧面に隣接する位置関係になっている。延長管６は接続管５の下端に接続されており、これにより通風路の一部を形成している。また、延長管６の下端には床用吸込具７が取り付けられている。
【００１５】
このような縦型の電気掃除機では、使用者は掃除機本体２の取っ手１０を把持して清掃を行う。電動送風機８が駆動されると、通風路に吸引力が作用し床用吸込具７から空気とともに塵埃が吸入される。吸入された空気と塵埃は延長管６及び接続管５を通って集塵器４に流通する。集塵器４では、空気と塵埃とが分離されて、塵埃のみが捕集される。
【００１６】
次に、充電台の構成について図５を参照して詳細に説明する。図５は、この発明の実施の形態１における充電台の斜視図である。この図に示すように、充電台２０は、台座部２１と、当該台座部２１に直立して支持された円柱状の支柱部２２とから構成されている。掃除機本体２は充電台２０に着脱自在に載置される。この場合、掃除機本体２は床用吸込具７を台座部２１の前方に設置した状態で直立して支持される。支柱部２２の上部には掃除機本体２が載置された状態で、当該掃除機本体２への給電を行うための送電側通電端子２３が設けられている。送電側通電端子２３は、後述する掃除機本体２の給電部と電気的に接触する。掃除機本体２は、充電台２０から供給された電気を用いて電池９の充電動作を行う。
【００１７】
本実施の形態１の電気掃除機１は、掃除機本体２に設けられた給電部の構造に特徴を有している。以下、図６から図８を参照して、給電部の構造について詳細に説明する。図６は、この発明の実施の形態１における本体ケース周辺の斜視図である。また、図７は、給電部の構成を拡大して示す斜視図である。さらに、図８は、図３に示す掃除機本体をＢ−Ｂ断面で切断した断面図である。これらの図に示すように、給電部１２は、接続管５の円弧面における集塵器４に対向する位置に配置されている。給電部１２は、掃除機本体２を充電台２０に載置した際に送電側通電端子２３と接触する２つの受電側通電端子１４と、受電側通電端子１４に供給される電力を本体ケース３内へ引き込むためのリード線１５とにより構成されている。
【００１８】
図６に示すように、受電側通電端子１４は、集塵器４の下部に配置されている。このような構成によれば、受電側通電端子１４が埃等に触れにくいので、接触不良を有効に抑止することができる。また、リード線１５は絶縁体によって被覆されており、集塵器４の円柱側面と接続管５の円弧面とに挟まれて形成された隙間に沿って配置されている。このような構成によれば、目立たない省スペース空間にリード線１５が配置されることとなるため、外観意匠性を損なうことなく受電側通電端子１４に供給される電力を本体ケース３内へ引き込むことが可能となる。また、接続管５による通風路は何ら狭められていないため、塵埃の詰まり及び運転音の増大を有効に防止することが可能となる。
【００１９】
給電部１２は、集塵器４の円柱側面と接続管５の円弧面とに挟まれて形成された隙間に配置されたカバー部材１６により覆われている。カバー部材１６は、より詳しくは、リード線１５を覆うカバー部材１６１と受電側通電端子１４の周囲を覆うカバー部材１６２とから構成されている。カバー部材１６１は、接続管５の円弧面の接線方向から集塵器４に向かって立設されている。このような構成によれば、接続管５とカバー部材１６１との接続部において凹凸が生じないため、外観上の一体感を高めつつリード線１５の外部への露出を有効に防止することができる。また、カバー部材１６２は、受電側通電端子１４の周囲を覆うとともに、その側面は接続管５の円弧面の接線方向から集塵器４に向かって立設されている。このような構成によれば、カバー部材１６２が接続管５から突出することがないため、受電側通電端子１４が目立つことなく外観を損なわない。
【００２０】
以上説明したように、本実施の形態１の電気掃除機によれば、接続管５の円弧面と集塵器４の円柱側面との間に給電部１２が配置されるので、給電部１２を外観上目立たせずに構成することができる。また、接続管５の通風路を狭めることなく給電部１２が配置されるので、吸引性能の低下及び運転音の増大を抑制することが可能となる。
【００２１】
実施の形態２．
次に、本発明の実施の形態２について説明する。実施の形態２の電気掃除機は給電部１２の構造が実施の形態１の電気掃除機のものと異なる。図９は、実施の形態２の電気掃除機の給電部の構成を拡大して示す斜視図である。また、図１０は、実施の形態２の電気掃除機を図３に示すＢ−Ｂ断面で切断した断面図である。これらの図に示すように、実施の形態２の給電部１２では、リード線１５に替えて導電板である銅板１７が用いられ、各銅板１７が接続管５の円弧面を挟んで隔絶された集塵器４の円柱側面の左右に分かれて配置されている。また、カバー部材１６は、銅板１７の一方の側を覆うカバー部材１６１と、銅板１７の他方の側を覆うカバー部材１６３と、受電側通電端子１４の周囲を覆うカバー部材１６２とから構成されている。尚、カバー部材１６１及び１６２の形状は実施の形態１のものと同形状に構成され、カバー部材１６３の形状はカバー部材１６１と左右対称の形状に構成されている。
【００２２】
このような構成によれば、各銅板１７同士の絶縁距離を確保することができるので、銅板のように絶縁体で被覆されていない導電部材であっても問題なく使用することができる。
【００２３】
ところで、本実施の形態２の電気掃除機では、給電部１２の導電部材として銅板１７を使用する例について説明したが、実施の形態１で使用したリード線１５を用いることとしてもよい。
【符号の説明】
【００２４】
１  電気掃除機、２  掃除機本体、３  本体ケース、４  集塵器、５  接続管、６  延長管、７  床用吸込具、８  電動送風機、９  電池、１０  取っ手、１２  給電部、１４  受電側通電端子、１５  リード線、１６  カバー部材、１７  銅板、２０  充電台、２１  台座部、２２  支柱部、２３  送電側通電端子、１６１  カバー部材、１６２  カバー部材、１６３  カバー部材
【図１】
2016015992.tif 000003
【図２】
2016015992.tif 000004
【図３】
2016015992.tif 000005
【図４】
2016015992.tif 000006
【図５】
2016015992.tif 000007
【図６】
2016015992.tif 000008
【図７】
2016015992.tif 000009
【図８】
2016015992.tif 000010
【図９】
2016015992.tif 000011
【図１０】
2016015992.tif 000012